(57)【要約】【課題】平行な偏波面を有する２種の波長の直線偏光を、直交する偏波面に変換する光学素子を得て、安定した信号検出が行える光ヘッド装置を得る。【解決手段】複屈折性を有する有機物薄膜１４を２枚の透明基板１１、１６の間に接着剤１５を介して積層し、有機物薄膜１４が一方の波長の偏光には２π（ｍ1−１／２）、他方の偏光には２πｍ2の位相差を与えるように、位相子１０１を構成し、光ヘッド装置に搭載する。２つの出射光の光軸が一致することによって、光ヘッド装置中の各光学部品がそれぞれ良好な光学特性を発揮でき、光ディスク上の情報再生時の読み取りエラーおよび光ディスク上への情報記録時の書き込みエラーの極めて少ない安定した信号検出が行える。【選択図】図１
2010244681.tif 000002
【特許請求の範囲】
【請求項１】
異なる発光点位置から、それぞれ異なる２種の波長λ１と波長λ２（λ１≠λ２）で、偏波面が互いに平行な直線偏光を出射する光源と、
前記光源からの光を光記録媒体に集光する対物レンズと、
前記光記録媒体で反射する光を検出する光検出器と、を備えた光ヘッド装置であって、
前記光源と前記対物レンズとの間の光路中、または、前記対物レンズと前記光検出器との間の光路中に、位相子を備え、
前記位相子は、少なくとも１枚の透明基板上に固定された複屈折性を有する有機物薄膜と、回折格子と、を有し、
前記有機物薄膜は、進相軸が、偏波面が互いに平行な２種の直線偏光の偏光方向に対して４５°傾けて入射するように配置され、前記波長λ１の直線偏光に対しては２π（ｍ１−１／２）（ｍ１は自然数）の位相差を、前記波長λ２の直線偏光に対しては２πｍ２（ｍ２は自然数）の位相差を発生させるリタデーション値に調整されて、前記２種の直線偏光の偏波面が互いに直交化され、
前記回折格子は、前記２種の波長の直線偏光のいずれか一方を回折させ、他方を回折させずに前記２種の波長の光の光軸を一致させる光ヘッド装置。
【請求項２】
前記回折格子は、断面が直角三角形状または階段状となる鋸歯状格子であって、常光屈折率ｎｏと異常光屈折率ｎｅを有する複屈折材料からなり、
前記常光屈折率ｎｏと等しく均一な屈折率ｎｓを有する充填接着剤が、前記鋸歯状格子を充填する請求項１に記載の光ヘッド装置。
【請求項３】
前記波長λ１および前記波長λ２は、ＤＶＤ用の６６０ｎｍ波長帯とＣＤ用の７９０ｎｍ波長帯との組合せからなる請求項１または請求項２に記載の光ヘッド装置。
【請求項４】
前記光源は、２波長半導体レーザであり、前記２波長半導体レーザが一つのパッケージ内に固定され、前記パッケージの光出射窓に前記位相子が固定されている請求項１〜３いずれか１項に記載の光ヘッド装置。
【発明の詳細な説明】
【技術分野】
【０００１】
本発明は、光ヘッド装置に関する。
【背景技術】
【０００２】
ＣＤやＤＶＤなどの光ディスクおよび光磁気ディスクなどの光記録媒体の情報の記録・再生を行う光ヘッド装置において、光源である半導体レーザからの出射光はレンズにより光記録媒体上に集光され、光記録媒体で反射し戻り光となる。この戻り光はビームスプリッタを用いて光検出器である受光素子へ導かれ、光記録媒体の情報が電気信号に変換される。
【０００３】
また、同一の光ヘッド装置を用いて規格の異なる光記録媒体である、ＣＤおよびＤＶＤ光ディスクの情報の記録・再生を行うため、ＣＤ／ＤＶＤ互換の光ヘッド装置が製品化されている。光記録媒体の記録層として光の反射・吸収に対して波長依存性の高い媒質を用いる、ＣＤ−Ｒなどの再生を前提とした光ディスクにおいては、ＣＤに用いる半導体レーザは７９０ｎｍ波長帯のものである。このとき、ＤＶＤ用には６６０ｎｍ波長帯の半導体レーザが用いられている。
【０００４】
７９０ｎｍ波長帯の半導体レーザと６６０ｎｍ波長帯の半導体レーザを１チップ内に形成したモノリシックな２波長半導体レーザを用いることにより、発光点位置精度が高く、安定した光ヘッド特性を得ることができる。さらに、部品点数を削減して光ヘッド装置の小型化・軽量化が図られ、光学系の設計も簡略化できるなどのメリットが期待できるため、２波長半導体レーザを用いる種々の光ヘッド装置の構成が提案されている。
【０００５】
図４の２波長半導体レーザを用いるＣＤ／ＤＶＤ互換の光ヘッド装置では、２波長半導体レーザ１における６６０ｎｍ波長帯の発光点１Ａ（図４（ａ））および７９０ｎｍ波長帯の発光点１Ｂ（図４（ｂ））からの出射光は、ビームスプリッタ４を透過し、コリメートレンズ５により平行光となり、対物レンズ６で光記録媒体であるＣＤやＤＶＤなどの光ディスク７の光記録面上に集光される。光ディスク７の光記録面で反射した光は、再び対物レンズ６およびコリメートレンズ５により集光され、ビームスプリッタ４で反射して、光検出器８Ａまたは８Ｂに到達する。
【発明の概要】
【発明が解決しようとする課題】
【０００６】
このとき、図４（ａ）、（ｂ）に示すように、２波長半導体レーザ１上の６６０ｎｍ波長帯の発光点１Ａと７９０ｎｍ波長帯の発光点１Ｂとの位置が異なるため、光検出器へ集光する位置も異なり、６６０ｎｍ波長帯用の光検出器８Ａと７９０ｎｍ波長帯用の光検出器８Ｂとが必要となり、構成が複雑で光ヘッド装置が大型となった。そこで、２つの検出器の受光部面積をカバーできる受光面積の大きい一個の光検出器（図示せず）を用いて両方の波長帯の光を検出する方法もあるが、検出の応答速度が遅く、装置が大型化する問題があった。
【０００７】
上記の問題を解決する方法として、２波長半導体レーザからの２つの波長帯の出射光の偏光特性を利用して、２つの出射光の光軸を一致させる光学素子を用いる方法が考えられるが、２つの出射光の偏波面が互いに平行であるため、この２つの出射光を分離することが困難であった。
【０００８】
本発明の目的は、発光点位置が異なり、かつ偏波面が互いに平行である２波長半導体レーザからの２つの出射光の光軸を一致させる光学素子を光ヘッド装置に搭載して、構成が複雑でなく、小型・軽量で、さらに検出の応答速度の早い光ヘッド装置を提供することである。
【課題を解決するための手段】
【０００９】
本発明は、異なる発光点位置から、それぞれ異なる２種の波長λ１と波長λ２（λ１≠λ２）で、偏波面が互いに平行な直線偏光を出射する光源と、前記光源からの光を光記録媒体に集光する対物レンズと、前記光記録媒体で反射する光を検出する光検出器と、を備えた光ヘッド装置であって、前記光源と前記対物レンズとの間の光路中、または、前記対物レンズと前記光検出器との間の光路中に、位相子を備え、前記位相子は、少なくとも１枚の透明基板上に固定された複屈折性を有する有機物薄膜と、回折格子と、を有し、前記有機物薄膜は、進相軸が、偏波面が互いに平行な２種の直線偏光の偏光方向に対して４５°傾けて入射するように配置され、前記波長λ１の直線偏光に対しては２π（ｍ１−１／２）（ｍ１は自然数）の位相差を、前記波長λ２の直線偏光に対しては２πｍ２（ｍ２は自然数）の位相差を発生させるリタデーション値に調整されて、前記２種の直線偏光の偏波面が互いに直交化され、前記回折格子は、前記２種の波長の直線偏光のいずれか一方を回折させ、他方を回折させずに前記２種の波長の光の光軸を一致させる光ヘッド装置を提供する。
【００１０】
また、前記回折格子は、断面が直角三角形状または階段状となる鋸歯状格子であって、常光屈折率ｎｏと異常光屈折率ｎｅを有する複屈折材料からなり、前記常光屈折率ｎｏと等しく均一な屈折率ｎｓを有する充填接着剤が、前記鋸歯状格子を充填する上記の光ヘッド装置を提供する。
【発明の効果】
【００１１】
本発明の光ヘッド装置に用いる位相子は、互いに平行な偏波面を有する異なる２種の波長の直線偏光を、互いに直交させることができる。また、上記位相子に直線偏光の回折機能を付加することにより、位相子に垂直および斜方入射する、２つの直線偏光の光軸を一致させることができる。さらに、回折機能が付加された位相子を、２波長半導体レーザを有する光ヘッド装置に搭載することにより、２つの直線偏光の光軸を一致させることができるため装置中の各光学部品がそれぞれ良好な光学特性を発揮でき、光ディスク上の情報再生時の読み取りエラーおよび光ディスク上への情報記録時の書き込みエラーの極めて少ない安定した信号検出が行える光ヘッド装置を実現できる。また、光検出器が１個でよいため光ヘッド装置の単純化が図れ、組み立て工程数を削減でき、また装置の小型化・軽量化が実現できる。
【図面の簡単な説明】
【００１２】
【図１】本発明の光ヘッド装置に用いる第１の実施態様の位相子の断面図。
【図２】本発明の光ヘッド装置に用いる第２の実施態様の位相子の断面図で、（ａ）一方の直線偏光の光軸が透明基板に垂直入射する様子を示す断面図、（ｂ）他方の直線偏光の光軸が透明基板に斜方入射する様子を示す断面図。
【図３】本発明の第３の実施態様の光ヘッド装置の概念図で、（ａ）２波長半導体レーザの出射点１Ａから直線偏光が出射する様子を示す概念図、（ｂ）２波長半導体レーザの出射点１Ｂから直線偏光が出射する様子を示す概念図。
【図４】従来の光ヘッド装置の概念図。
【図５】本発明の第４の実施態様の光ヘッド装置における光源ユニット（パッケージ）の概念図。
【発明を実施するための形態】
【００１３】
「第１の実施態様」
本発明の光ヘッド装置に用いる第１の実施態様の位相子１０１は、図１に示すように、有機物薄膜１４を透明基板１１と透明基板１６の間に挟んで、接着剤１５を用いて固定している。透明基板１１および１６としては、ガラスや石英などの光学的等方性媒質を用いることが、透過光に複屈折性などの影響を与えず好ましい。有機物薄膜１４としては、ポリカーボネートなどの有機材料を延伸させることにより延伸方向に光軸の揃った複屈折性膜を用いるのが好ましい。
【００１４】
偏波面が互いに平行である、異なる２種の直線偏光の波長の一方をλ1、他方をλ2とし、ｍ1とｍ2を自然数とする。波長λ1の光が有機物薄膜１４を透過するとき、２π（ｍ1−１／２）の位相差が発生し、一方波長λ2の光が有機物薄膜１４を透過するとき、２πｍ2の位相差が発生し、２種の直線偏光の偏波面が互いに直交するように有機物薄膜１４のリタデーション値が調整されている。ただし、波長λ1、λ2の直線偏光は有機物薄膜１４の進相軸方向（図示せず）に対し偏光方向を４５°傾けて有機物薄膜１４に入射する。
【００１５】
例えば、波長λ1の光をＤＶＤ系光ディスク用の６６０ｎｍ波長帯の光とし、波長λ2の光をＣＤ系光ディスク用の７９０ｎｍ波長帯の光とした場合を説明する。波長λ1の光に対し、波長の５／２倍（ｍ1＝３）となるリタデーション値（位相差は５π）を有するポリカーボネート製の有機物薄膜１４を、入射直線偏光方向に対し進相軸を４５°傾けて配置することにより、波長λ1の直線偏光は有機物薄膜１４を透過すると、その偏波面を９０°回転する。一方波長λ2の光に対し、有機物薄膜１４のリタデーション値は、波長の２倍（ｍ2＝２）に相当（位相差は４π）することになり、有機物薄膜１４を透過する波長λ2の直線偏光の偏波面は回転しない。すなわち、互いに平行な偏波面は、有機物薄膜１４を透過後直交する。
【００１６】
波長λ1が８００ｎｍ波長帯であり、波長λ2が４００ｎｍ波長帯である場合、波長λ1の光に対し、波長の１／２倍（ｍ1＝１）となるリタデーション値（位相差はπ）を有する有機物薄膜１４を、入射直線偏光方向に対し進相軸を４５°傾けて配置することにより、波長λ1の直線偏光は、有機物薄膜１４を透過すると、その偏波面を９０°回転する。一方波長λ2の光に対し、有機物薄膜１４のリタデーション値は、波長に等しく（ｍ2＝１）なり（位相差は２π）、有機物薄膜１４を透過する波長λ2の直線偏光の偏波面は回転しない。すなわち、互いに平行な偏波面は、有機物薄膜１４を透過後直交する。
ここで、自然数ｍ1およびｍ2としてはそれぞれ３程度がよく、これより大きくなると、有機物薄膜を複数枚重ねることになり、生産性の点から好ましくない。
【００１７】
複屈折性を有する有機物薄膜１４として、透明基板１６上に塗布した配向膜用の膜に、所望の配向処理を施した後、この膜上に複屈折性材料である液晶モノマーの溶液を塗布し、光重合用の光源光を照射することで重合硬化させた高分子液晶膜を用いることもできる。この場合、接着剤１５を用いることなく位相子を形成できる。
【００１８】
上記において、有機物薄膜を２枚の透明基板間に固定する場合を説明したが、１枚の透明基板上に固定してもよい。この場合も、接着剤を使用してもよいし直接透明基板に形成してもよい。
【００１９】
接着剤１５の材料としては、アクリル系、エポキシ系、ウレタン系、ポリエステル系、ポリイミド系、ウレア系、メラミン系、フラン系、イソシアネート系、シリコーン系、セルロース系、酢酸ビニル系、塩化ビニル系、ゴム系やそれらの混合系のものを使用できる。接着剤はＵＶ硬化型や熱硬化型であれば作業性がよく好ましいがこれらに限定されない。接着剤は平滑に一定厚さで薄く塗布することが、透過光の波面収差の補正を良好にするために必要である。塗布の方法としては、スピンコートまたはロールコートなどの方法を用いると作業性が優れ、また厚さの制御が容易であり好ましい。
【００２０】
前述のように構成された位相子は、偏波面が互いに平行である異なる２種の波長の直線偏光を、偏波面が互いに直交する直線偏光に変換する作用を有し、異なる２種の波長光を偏波面の違いによって分離できる。
【００２１】
「第２の実施態様」
本発明の光ヘッド装置に用いる第２の実施態様の位相子１０２は、図２に示すように、有機物薄膜１４を透明基板１６に接着剤１５を用いて固定した有機物薄膜部と、鋸歯状格子１２からなり光軸調整機能を有する透明基板１１とを、有機物薄膜１４と鋸歯状格子１２が向かい合うように充填接着剤１３を用いて固定してある。鋸歯状格子１２は、入射した２種の波長の直線偏光のいずれか一方を回折させ、他方を回折させない機能を有する。
【００２２】
透明基板１１および１６、有機物薄膜１４、接着剤１５は第１の実施態様と同様のものが使われる。すなわち、有機物薄膜１４として、偏波面の互いに平行な異なる２種の直線偏光が有機物薄膜１４を、進相軸方向に対し偏光方向を４５°傾けて透過後、偏波面が互いに直交するものを使用する。
【００２３】
ここで、光軸調整機能とは、図２（ｂ）に示すように、透明基板に対し光軸が斜方入射の直線偏光を垂直方向に調整する機能をいう。図２（ａ）は、透明基板に対し光軸が垂直入射する直線偏光の場合である。
【００２４】
鋸歯状格子１２は、複屈折材料（常光屈折率ｎo、異常光屈折率ｎe）の例えば高分子液晶からなり、以下の手順で作製される。高分子液晶を、所望の厚さになるように透明基板１１上に塗布する。高分子液晶の異常光屈折率ｎe方向の液晶分子の配向ベクトルが、面内の特定方向に揃うように液晶分子を配向させ、光重合用の光源光を照射して重合硬化させたのち、フォトリソグラフィとエッチングの技術により鋸歯状格子を形成する。鋸歯状格子の断面は直角三角形状が好ましいが、図２のように階段状でもよい。階段状の場合、階段のステップ数が多いほど光の利用効率は大きくなり、４段以上のステップを形成すると、７０％以上の１次回折光を利用できて望ましい。
【００２５】
充填接着剤１３は屈折率ｎsが均一で透明な接着剤であり、例えば屈折率ｎsが高分子液晶１２の常光屈折率ｎoとほぼ等しくなるように材料を選定する。充填接着剤は、第１の実施態様で述べた接着剤の中から、適宜選択できる。
【００２６】
上述のように構成された位相子は、偏波面が互いに平行である異なる２種の波長の直線偏光を、偏波面が互いに直交する直線偏光に変換する機能を有し、異なる２種の波長の光を分離するとともに、例えば、波長λ1の直線偏光には回折格子として作用しないが、波長λ2の直線偏光に対しては回折格子として作用する。
【００２７】
また、図２において透明基板１１の表面に回折格子を形成することにより、光記録媒体の情報の記録・再生時のトラッキングエラー検出用の３ビ−ムを発生できる。この場合、波長λ1とλ2の光のうち一方の光のみ回折するように格子深さに基く位相差がλ1またはλ2に対して２πとなるようにすることが好ましい。すなわち、波長λ1の光のみが回折するときはλ2に対して２πとなり、波長λ2の光が回折するときはλ1に対して２πとなる。
【００２８】
本実施態様の別の例として、上述の光軸調整機能の代わりに、位相補正機能を透明基板に付加した位相子とすることもできる。これは、入射直線偏光の波面を制御するものであり、透明基板上に複屈折性の位相補正部を形成すればよい。
【００２９】
「第３の実施態様」
図３の光ヘッド装置は、２つの発光点１Ａおよび１Ｂからそれぞれ異なる波長の直線偏光を出射するモノリシックな２波長半導体レーザ１、本発明の光ヘッド装置に用いる、第２の実施態様で述べた偏光の光軸調整機能を有する位相子１０２、ビームスプリッタ４、コリメートレンズ５、対物レンズ６、光検出器８から構成され、光ディスク７に記録された情報の再生または光ディスク７に情報の記録を行う。
【００３０】
偏光の光軸調整機能を有する位相子１０２に、波長λ1の直線偏光が入射すると、有機物薄膜部によって、直線偏光の偏波面が９０°回転し、鋸歯状格子１２を構成する高分子液晶に対し常光となる。したがって、鋸歯状格子１２の常光屈折率ｎoと充填接着剤１３の屈折率ｎsがほぼ等しい（ｎo＝ｎs）ため、回折せずに直進透過する。
【００３１】
一方、位相子上の位置であり波長λ1の直線偏光が入射する点から離れた位置に、斜方入射する波長λ2の直線偏光は、有機物薄膜部を透過しても直線偏光の偏波面を回転せず、鋸歯状格子１２を構成する高分子液晶に対し異常光となる。したがって、鋸歯状格子１２の異常光屈折率ｎeと充填接着剤１３の屈折率ｎo（ｎs＝ｎo）との差（ｎe−ｎo）、および鋸歯状格子１２の形状に依存する効率を有する＋１次回折光を生じる。波長λ2の＋１次回折光は、位相子上の波長λ1の光の出射点と同一点から、波長λ1の光と光軸を一致させて出射する。
【００３２】
すなわち、本発明の偏光の光軸調整機能を有する位相子１０２を搭載した光ヘッド装置は、モノリシックな２波長半導体レーザから出射した異なる２種の波長の直線偏光の光軸を一致させることができる。したがって、２つの直線偏光が透過する光学部品が、それぞれの直線偏光に対して良好な光学特性を発揮でき、光ディスク上の情報再生時の読み取りエラーおよび光ディスク上への情報記録時の書き込みエラーの極めて少ない安定した信号検出を行うことができる。
さらに、光検出器は１個でよいため光ヘッド装置の単純化が図れ組み立て工程数を削減でき、また装置の小型化・軽量化が実現できる。
【００３３】
「第４の実施態様」
本発明の第４の実施態様の光ヘッド装置は、２波長半導体レーザ、位相子などを有するパッケージ（光源ユニット）を光ヘッド装置に搭載する。
まず、光源ユニットについて説明する。例えば図２に示す、偏光の光軸調整機能を有する位相子１０２を２波長半導体レーザとともにパッケージに固定して光源ユニットとしてもよい。
【００３４】
図５に示すように、波長がλ1とλ2で互いに平行な偏波面を有する２つの直線偏光を発光点位置１Ａと１Ｂから出射する２波長半導体レーザ１が一つの金属製のパッケージ２６内のヒートシンク用金属ブロック２８に固定される。パッケージ２６の２波長半導体レーザ１用の光出射窓ガラス２７によってパッケージ２６は密封されている。２波長半導体レーザ１へ電極２９を通して電流が供給されて、２波長半導体レーザ１発光する。偏光の光軸調整機能を有する位相子１０２は、パッケージ２６の光出射窓ガラス２７の外側に固定され、全体として一つの光源ユニットとなっている。
【００３５】
また、パッケージに光検出器、電気信号処理回路、アンプ回路などを集積化した光電変換素子を内蔵した光源ユニットとしてもよい。これにより、いっそう小型・集積化を実現できる。
【００３６】
偏光の光軸調整機能を有する位相子１０２に、光記録媒体での反射による戻り光を光検出器に導くビ−ムスプリッタ用ホログラムをさらに積層して一体化してもよい。これにより、複数の機能が複合化された光源ユニットが実現できるため、部品点数が削減されるとともに小型化できる。
【００３７】
上述のような構成の光源ユニットが搭載された光ヘッド装置において、偏光の光軸調整機能を有する位相子１０２の上表面の同一の発光点位置から、波長λ1とλ2の２つの直線偏光を切り替えて出射すると、光源ユニットは２波長光源として使用できるため、従来の単一波長光源と同様に扱うことができ好ましい。
【００３８】
また、光源ユニットが搭載された光ヘッド装置は、２波長半導体レーザや位相子などの光軸合わせの手間が省け光ヘッド装置の組み立て工程が簡略化でき生産性が向上するとともに、光ヘッド装置の小型化・軽量化が実現でき好ましい。
【実施例】
【００３９】
「例１」
例１は図２に示した第２の実施態様の位相子の具体例である。屈折率が１．５である透明基板１６に、ＤＶＤ系光ディスク用の６６０ｎｍ波長帯の光に対してリタデーション値が１６５０ｎｍであるポリカーボネート製の有機物薄膜１４をアクリル系接着剤１５によって固定した。このリタデーション値は、ｍ1＝３とした値であり発生する位相差は５πであった。また、ＣＤ系光ディスク用の７９０ｎｍ波長帯の直線偏光に対しては、上記のリタデーション値に対応するのは、ｍ2＝２とした値であり発生する位相差は４πであった。
【００４０】
これらの位相差により、６６０ｎｍ波長帯の直線偏光は偏波面を９０°回転させ、７９０ｎｍ波長帯の直線偏光は偏波面を回転させないため、偏波面が互いに平行である２つの波長帯の光はポリカーボネート製の有機物薄膜１４を透過後、偏波面が直交化された。ただし、６６０ｎｍ波長帯と７９０ｎｍ波長帯の２種の直線偏光を、有機物薄膜１４の進相軸方向に対し偏光方向を４５°傾けて有機物薄膜１４に入射させた。
【００４１】
一方、屈折率が１．５である透明基板１１に、配向膜用のポリイミドを膜状に塗布し、ラビング配向処理を施したのち、この膜上に高分子液晶膜を形成した。高分子液晶の屈折率は、光重合硬化後に異常光屈折率ｎeが約１．６、常光屈折率ｎoが約１．５となった。位相子に斜方入射するＣＤ系光ディスク用の７９０ｎｍ波長帯の光に対し、所望の回折角度、回折効率が得られるように、３回のフォトリソグラフィとエッチングをそれぞれ交互に繰り返して高分子液晶を段数が８段の鋸歯状格子１２に加工し、偏光の光軸調整機能を有する透明基板を作製した。一方、６６０ｎｍ波長帯の光に対しては、回折効果を有しない。
【００４２】
有機物薄膜１４と鋸歯状格子１２が向かい合うように、屈折率ｎsが高分子液晶の常光屈折率ｎoとほぼ等しいアクリル系の透明な充填接着剤１３を用いて固定し、偏光の光軸調整機能を有する位相子１０２を作製した。
【００４３】
「例２」
例１で作製された偏光の光軸調整機能を有する位相子１０２を、図３に示すように、光ヘッド装置の２波長半導体レーザ１と対物レンズ６との間に設置した。この光ヘッド装置では、ＤＶＤ系光ディスク用の６６０ｎｍ波長帯の光に対して最適設計された光学系の光軸に、ＣＤ系光ディスク用の７９０ｎｍ波長帯の光の光軸を一致させることができた。そして、ＣＤ系とＤＶＤ系の光ディスクの記録・再生時に共用される受光面積の小さい光検出器８を用いて、ＤＶＤ系およびＣＤ系の光ディスクに対し良好な再生・記録が行えた。
【００４４】
また、光ヘッド装置において、対物レンズ６と光検出器８との間に、偏光の光軸調整機能を有する位相子１０２を設置しても同様の効果が得られる。ＣＤ系光ディスク用の７９０ｎｍ波長帯の光は、コリメートレンズ中や対物レンズ中では最適な光軸を透過することは困難であるが、光検出器の直前で直線偏光の光軸調整を行うことで、ＣＤ系とＤＶＤ系の両光ディスクの記録・再生時に共用される受光面積の小さい光検出器８でも使用できる。
【符号の説明】
【００４５】
１０１：位相子
１０２：偏光の光軸調整機能を有する位相子
１１、１６：透明基板
１２：鋸歯状格子
１３：充填接着剤
１４：有機物薄膜
１５：接着剤
１：２波長半導体レーザ
１Ａ、１Ｂ：発光点
４：ビームスプリッタ
５：コリメートレンズ
６：対物レンズ
７：光ディスク
８Ａ、８Ｂ：光検出器
２６：パッケージ
２７：光出射窓ガラス
２８：ヒートシンク用金属ブロック
２９：電極
【図１】
2010244681.tif 000003
【図２】
2010244681.tif 000004
【図３】
2010244681.tif 000005
【図４】
2010244681.tif 000006
【図５】
2010244681.tif 000007